(57)【特許請求の範囲】
【請求項１】
家庭内の制御対象機器のオン／オフ制御を行う機能を備えた住宅内情報監視・制御装置であって、
外部から設定された開始時刻および終了時刻を所定の時間の範囲内でランダムに変更して動作開始時刻および動作終了時刻を決定するタイマー設定手段（１４）と、
該タイマー設定手段により決定された動作開始時刻および動作終了時刻に前記制御対象機器のオン／オフ制御を行う制御手段（１３）とを具備し、
前記タイマー設定手段が、
外部から設定される開始ランダム時間および終了ランダム時間の範囲内で前記開始時刻および前記終了時刻をランダムに変更して前記動作開始時刻および前記動作終了時刻を決定し、
該決定した動作開始時刻および動作終了時刻が前日の動作開始時刻および動作終了時刻と比較して所定時間未満しか違わない場合には、該所定時間以上違ってくるように前記開始ランダム時間および前記終了ランダム時間の範囲内で前記開始時刻および前記終了時刻をランダムに変更して前記動作開始時刻および前記動作終了時刻を決定し直す、
ことを特徴とする、住宅内情報監視・制御装置。
【請求項２】
ネットワークを介して相互接続されたパーソナルコンピュータとの間でデータの送受信を行うデータ送受信手段をさらに具備し、
前記タイマー設定手段が、
前記開始時刻、前記終了時刻、前記開始ランダム時間および前記終了ランダム時間を設定させるためのタイマー設定画面データを前記パーソナルコンピュータに前記データ送受信手段を介して送信し、
前記パーソナルコンピュータに表示されたタイマー設定画面を参照して入力された前記開始時刻、前記終了時刻、前記開始ランダム時間および前記終了ランダム時間を示すタイマー動作設定データを該パーソナルコンピュータから前記データ送受信手段を介して受信すると、該受信したタイマー動作設定データによって示される該開始時刻、該終了時刻、該開始ランダム時間および該終了ランダム時間に基づいて前記動作開始時刻および前記動作終了時刻を決定する、
ことを特徴とする、請求項１記載の住宅内情報監視・制御装置。
【請求項３】
前記タイマー動作設定データとして、前記開始時刻、前記終了時刻、前記開始ランダム時間および前記終了ランダム時間のほかに、制御対象機器、動作曜日、動作回数および動作を示すデータが、前記パーソナルコンピュータに表示された前記タイマー設定画面を参照して入力されることを特徴とする、請求項２記載の住宅内情報監視・制御装置。
【請求項４】
住宅内情報監視・制御装置を用いて家庭内の制御対象機器のオン／オフ制御を行う住宅内情報監視・制御方法であって、
前記制御対象機器をオンする時刻である開始時刻および該制御対象機器をオフする時刻である終了時刻を外部から設定する第１のステップと、
前記住宅内情報監視・制御装置のタイマー設定手段（１４）が、前記開始時刻および前記終了時刻を所定の時間の範囲内でランダムに変更して動作開始時刻および動作終了時刻を決定する第２のステップと、
前記住宅内情報監視・制御装置の制御手段（１３）が、前記タイマー設定手段により決定された動作開始時刻および動作終了時刻に前記制御対象機器のオン／オフ制御を行う第３のステップとを具備し、
前記第１のステップにおいて、開始ランダム時間および終了ランダム時間を外部からさらに設定し、
前記第２のステップにおいて、前記タイマー設定手段が、前記設定された開始ランダム時間および終了ランダム時間の範囲内で前記開始時刻および前記終了時刻をランダムに変更して前記動作開始時刻および前記動作終了時刻を決定し、該決定した動作開始時刻および動作終了時刻が前日の動作開始時刻および動作終了時刻と比較して所定時間未満しか違わない場合には、該所定時間以上違ってくるように前記開始ランダム時間および前記終了ランダム時間の範囲内で前記開始時刻および前記終了時刻をランダムに変更して前記動作開始時刻および前記動作終了時刻をそれぞれ決定し直す、
ことを特徴とする、住宅内情報監視・制御方法。
【請求項５】
前記第１のステップにおいて、前記タイマー設定手段が、前記開始時刻、前記終了時刻、前記開始ランダム時間および前記終了ランダム時間を設定させるためのタイマー設定画面データを、前記住宅内情報監視・制御装置とネットワークを介して相互接続されたパーソナルコンピュータに送信し、該パーソナルコンピュータに表示されたタイマー設定画面を参照して入力された前記開始時刻、前記終了時刻、前記開始ランダム時間および前記終了ランダム時間を示すタイマー動作設定データを該パーソナルコンピュータから受信すると、該受信したタイマー動作設定データによって示される該開始時刻、該終了時刻、該開始ランダム時間および該終了ランダム時間に基づいて前記動作開始時刻および前記動作終了時刻を決定することを特徴とする、請求項４記載の住宅内情報監視・制御方法。
【請求項６】
前記タイマー動作設定データとして、前記開始時刻、前記終了時刻、前記開始ランダム時間および前記終了ランダム時間のほかに、制御対象機器、動作曜日、動作回数および動作を示すデータが、前記パーソナルコンピュータに表示された前記タイマー設定画面を参照して入力されることを特徴とする、請求項５記載の住宅内情報監視・制御方法。
【発明の詳細な説明】
【技術分野】
【０００１】
本発明は、住宅内情報監視・制御装置および住宅内情報監視・制御方法に関し、特に、インターネットなどのネットワークに接続可能なパーソナルコンピュータを用いて制御対象機器をタイマー設定により自動的にオン／オフ制御するのに好適な住宅内情報監視・制御装置および住宅内情報監視・制御方法に関する。
【背景技術】
【０００２】
近年、インターネットの発達に伴い、ユーザがパーソナルコンピュータや携帯電話などを用いて、家庭内の照明機器やＨＡ端子付家電製品（エアコンおよび電気錠など）のオン／オフ制御をしたりセンサ（火災センサ、ガスセンサおよび人感センサなど）の反応やカメラで撮影した画像を所定のメールアドレスに送信したりすることができる住宅内情報監視・制御装置が開発されている（たとえば、テンパール工業株式会社製のモニコンステーションＡＭＣ−ＳＴ）。
【０００３】
なお、下記の特許文献１には、携帯電話機により電話回線あるいはインターネット網を介して家庭内や事業所内の制御ターミナルに接続し、電動錠、照明機器、エアコンなどの機器類をリモートアクセス、コントロールするシステムにおいて、ＩＤナンバー，パスワードなどの煩雑な入力操作を簡略化するために、携帯電話の外部接続端子に着脱容易でＩＤナンバーとパスワードを記憶したメモリーを持ち、携帯電話の簡単なボタン操作でメモリー内容を携帯電話から発信することができる機能を持った短縮キー装置を用いて構成された機器類の遠隔操作システムが開示されている。
【０００４】
下記の特許文献２には、多数の電灯または家電製品その他の負荷端に対して任意設定した設定時刻に一斉に自動オン／オフできるようにするために、所望の設定時刻を入力する機能選択・時間入力部と、制御信号を出力するコントローラと、コントローラに設けられ機能選択・時間入力部で入力された設定時刻までをカウントする時間カウント部およびアラームカウント部と、現在時刻および設定時刻を表示する時間表示部と、コントローラの制御信号に従ってアラーム音を発生するアラーム発生部と、コントローラの制御信号を増幅し、この増幅された信号に応じて負荷端をオン／オフする増幅・スイッチング部と、交流電源を整流しかつ充電してコントローラに電源供給する整流充電部とから構成されるタイマー装置が開示されている。
【特許文献１】特開２００３−０７８６３４号公報
【特許文献２】登録実用新案第３０２５６２０号公報
【発明の開示】
【発明が解決しようとする課題】
【０００５】
しかしながら、上述したような住宅内情報監視・制御装置では、たとえば家庭内の照明機器やＨＡ端子付家電製品のオン／オフ制御を行う場合には、ユーザは照明機器などをオン／オフしたい時刻に携帯電話などを操作する必要があるという問題があった。
また、このような操作をなくすために、市販のタイムスイッチやシーケンサを用いて照明機器などをオン／オフしたい時刻を予め設定しておく方法が考えられるが、このような方法では、照明器具などは必ず設定時刻にオン／オフされるため、泥棒などの悪意を持った第三者にタイムスイッチによる自動操作であることが悟られ易いという問題のほか、時刻の設定を行うためには現地に赴いてハードウエアまたはソフトウエアの設定を変更する必要があったり時刻の設定に専門知識が必要であったりするという問題がある。
【０００６】
本発明の目的は、自動操作であることが悟られることなく制御対象機器をタイマー設定により自動的にオン／オフ制御することができる住宅内情報監視・制御装置および住宅内情報監視・制御方法を提供することにある。
【課題を解決するための手段】
【０００７】
本発明の住宅内情報監視・制御装置は、家庭内の制御対象機器のオン／オフ制御を行う機能を備えた住宅内情報監視・制御装置であって、外部から設定された開始時刻および終了時刻を所定の時間の範囲内でランダムに変更して動作開始時刻および動作終了時刻を決定するタイマー設定手段（１４）と、該タイマー設定手段により決定された動作開始時刻および動作終了時刻に前記制御対象機器のオン／オフ制御を行う制御手段（１３）とを具備し、前記タイマー設定手段が、外部から設定される開始ランダム時間および終了ランダム時間の範囲内で前記開始時刻および前記終了時刻をランダムに変更して前記動作開始時刻および前記動作終了時刻を決定し、該決定した動作開始時刻および動作終了時刻が前日の動作開始時刻および動作終了時刻と比較して所定時間未満しか違わない場合には、該所定時間以上違ってくるように前記開始ランダム時間および前記終了ランダム時間の範囲内で前記開始時刻および前記終了時刻をランダムに変更して前記動作開始時刻および前記動作終了時刻を決定し直すことを特徴とする。
ここで、ネットワークを介して相互接続されたパーソナルコンピュータとの間でデータの送受信を行うデータ送受信手段をさらに具備し、前記タイマー設定手段が、前記開始時刻、前記終了時刻、前記開始ランダム時間および前記終了ランダム時間を設定させるためのタイマー設定画面データを前記パーソナルコンピュータに前記データ送受信手段を介して送信し、前記パーソナルコンピュータに表示されたタイマー設定画面を参照して入力された前記開始時刻、前記終了時刻、前記開始ランダム時間および前記終了ランダム時間を示すタイマー動作設定データを該パーソナルコンピュータから前記データ送受信手段を介して受信すると、該受信したタイマー動作設定データによって示される該開始時刻、該終了時刻、該開始ランダム時間および該終了ランダム時間に基づいて前記動作開始時刻および前記動作終了時刻を決定してもよい。
前記タイマー動作設定データとして、前記開始時刻、前記終了時刻、前記開始ランダム時間および前記終了ランダム時間のほかに、制御対象機器、動作曜日、動作回数および動作を示すデータが、前記パーソナルコンピュータに表示された前記タイマー設定画面を参照して入力されてもよい。
【０００８】
本発明の住宅内情報監視・制御方法は、住宅内情報監視・制御装置を用いて家庭内の制御対象機器のオン／オフ制御を行う住宅内情報監視・制御方法であって、前記制御対象機器をオンする時刻である開始時刻および該制御対象機器をオフする時刻である終了時刻を外部から設定する第１のステップと、前記住宅内情報監視・制御装置のタイマー設定手段（１４）が、前記開始時刻および前記終了時刻を所定の時間の範囲内でランダムに変更して動作開始時刻および動作終了時刻を決定する第２のステップと、前記住宅内情報監視・制御装置の制御手段（１３）が、前記タイマー設定手段により決定された動作開始時刻および動作終了時刻に前記制御対象機器のオン／オフ制御を行う第３のステップとを具備し、前記第１のステップにおいて、開始ランダム時間および終了ランダム時間を外部からさらに設定し、前記第２のステップにおいて、前記タイマー設定手段が、前記設定された開始ランダム時間および終了ランダム時間の範囲内で前記開始時刻および前記終了時刻をランダムに変更して前記動作開始時刻および前記動作終了時刻を決定し、該決定した動作開始時刻および動作終了時刻が前日の動作開始時刻および動作終了時刻と比較して所定時間未満しか違わない場合には、該所定時間以上違ってくるように前記開始ランダム時間および前記終了ランダム時間の範囲内で前記開始時刻および前記終了時刻をランダムに変更して前記動作開始時刻および前記動作終了時刻をそれぞれ決定し直すことを特徴とする。
ここで、前記第１のステップにおいて、前記タイマー設定手段が、前記開始時刻、前記終了時刻、前記開始ランダム時間および前記終了ランダム時間を設定させるためのタイマー設定画面データを、前記住宅内情報監視・制御装置とネットワークを介して相互接続されたパーソナルコンピュータに送信し、該パーソナルコンピュータに表示されたタイマー設定画面を参照して入力された前記開始時刻、前記終了時刻、前記開始ランダム時間および前記終了ランダム時間を示すタイマー動作設定データを該パーソナルコンピュータから受信すると、該受信したタイマー動作設定データによって示される該開始時刻、該終了時刻、該開始ランダム時間および該終了ランダム時間に基づいて前記動作開始時刻および前記動作終了時刻を決定してもよい。
前記タイマー動作設定データとして、前記開始時刻、前記終了時刻、前記開始ランダム時間および前記終了ランダム時間のほかに、制御対象機器、動作曜日、動作回数および動作を示すデータが、前記パーソナルコンピュータに表示された前記タイマー設定画面を参照して入力されてもよい。
【発明の効果】
【０００９】
本発明の住宅内情報監視・制御装置および住宅内情報監視・制御方法は、以下の効果を奏する。
（１）開始時刻および終了時刻を所定の時間の範囲内でランダムに変更して動作開始時刻および動作終了時刻を決定することにより、制御対象機器を毎日異なる時刻にオン／オフさせることができるので、悪意ある第三者に自動操作であることが悟られることなく制御対象機器をタイマー設定により自動的にオン／オフ制御することができる。
（２）決定した動作開始時刻および動作終了時刻が前日の動作開始時刻および動作終了時刻と比較して所定時間未満しか違わない場合には、所定時間以上違ってくるように開始ランダム時間および終了ランダム時間の範囲内で開始時刻および終了時刻をランダムに変更して動作開始時刻および動作終了時刻をそれぞれ決定し直すことにより、より自然に制御対象機器がオン／オフされたように見せかけることができるので、悪意ある第三者に自動操作であることが悟られることをより防止することができる。
（３）タイマー設定手段により決定された動作開始時刻および動作終了時刻に制御対象機器のオン／オフ制御を行うことにより、インターネットに接続された携帯電話などでユーザ自身が手動で制御対象機器を操作することなく自動的にオン／オフさせることができるので、操作のし忘れなどをなくすことができる。
（４）パーソナルコンピュータに表示されたタイマー設定画面を参照して入力されたタイマー動作設定データを住宅内情報監視・制御装置に送信することにより、ユーザは現地に赴いてハードウエアの設定を行ったりシーケンサ専用言語などを学習したりする必要なく、簡単に短時間でタイマー動作に必要なデータを設定することができる。
【発明を実施するための最良の形態】
【００１０】
自動操作であることが悟られることなく制御対象機器をタイマー設定により自動的にオン／オフ制御するという目的を、外部から設定された開始時刻および終了時刻を所定の時間の範囲内でランダムに変更して動作開始時刻および動作終了時刻を決定することにより実現した。
【実施例１】
【００１１】
以下、本発明の住宅内情報監視・制御装置および住宅内情報監視・制御方法の実施例について、図面を参照して説明する。
本発明の一実施例による住宅内情報監視・制御装置１は、図１に示すように、信号入力部１１と、信号出力部１２と、制御部１３と、タイマー設定部１４と、データ送受信部１５と、メモリ１６（フラッシュメモリなど）とを具備する。
なお、信号入力部１１、信号出力部１２、制御部１３、タイマー設定部１４およびデータ送受信部１５は、ディジタル回路やアナログ回路で構成してもよいし、ＣＰＵ（中央処理装置）とソフトウエア（プログラム）とで構成してもよい。後者の場合には、ＣＰＵに動作を行わせるためのプログラムをメモリ１６または他のメモリに格納しておけばよい。
【００１２】
住宅内情報監視・制御装置１はまた、火災センサ、電流センサおよび接点出力付センサ（ガスセンサや人感センサなどのａ接点またはｂ接点出力付きのセンサ）などからのセンサ信号が入力されるセンサ信号入力端子２１と、ＡＣ１００Ｖで動作する照明機器などの負荷機器のオン／オフを制御する負荷機器オン／オフ制御信号が出力されるリレー端子２２と、エアコンなどのＨＡ端子付機器のオン／オフなどを制御するＨＡ端子付機器用制御信号およびＨＡ端子付機器オン／オフ制御信号が出力されるＨＡ信号出力端子２３と、接点入力付機器への接点信号が出力される接点信号出力端子２４と、インターネットなどのネットワークを介してパーソナルコンピュータ３０（以下、「パソコン３０」と称する。）やネットワークカメラなどに接続されるＬＡＮ端子２５とを具備する。なお、センサ信号入力端子２１、リレー端子２２、ＨＡ信号出力端子２３および接点信号出力端子２４は、１個ずつであってもよいが、複数のセンサ、負荷機器、ＨＡ端子付機器および接点入力付機器の制御が行えるように複数個ずつであってもよい。
【００１３】
信号入力部１１は、センサ信号入力端子２１に接続されたセンサから入力されるセンサ信号を制御部１３に出力する。
信号出力部１２は、制御部１３から入力される負荷機器オン／オフ制御信号、ＨＡ端子付機器用制御信号、ＨＡ端子付機器オン／オフ制御信号および接点信号をリレー端子２２、ＨＡ信号出力端子２３および接点信号出力端子２４を介して負荷機器、ＨＡ端子付機器および接点入力付機器にそれぞれ出力する。
【００１４】
制御部１３は、以下に示すような制御などを行う。
（１）メモリ１６に格納されているオン／オフ制御テーブルに基づいて負荷機器オン／オフ制御信号を生成して、生成した負荷機器オン／オフ制御信号を信号出力部１２に出力することにより、リレー端子２２に接続された負荷機器のオン／オフ制御を行う。
（２）メモリ１６に格納されているオン／オフ制御テーブルに基づいてＨＡ端子付機器オン／オフ制御信号を生成して、生成したＨＡ端子付機器オン／オフ制御信号を信号出力部１２に出力することにより、ＨＡ信号出力端子２３に接続されたＨＡ端子付機器のオン／オフ制御を行う。
（３）たとえば住宅内情報監視・制御装置１がＨＡ端子付機器とエコーネットのような設備系ネットワークで接続されている場合には、メモリ１６に格納されているＨＡ端子付機器用制御テーブルに基づいてエコーネット対応のＨＡ端子付機器用制御信号を生成して、生成したＨＡ端子付機器用制御信号を信号出力部１２に出力することにより、ＨＡ端子付機器のオン／オフ以外の制御も行う。
（４）センサ信号入力端子２１を介して入力される接点出力付機器からのセンサ信号に基づいて、センサ反応がない状態からセンサに反応がある状態に状態変化したときに、この状態変化をトリガとして、その旨を示す電子メールやセンサチェック画面を作成し、作成した電子メールを所定の電子メールアドレス（メモリ１６に格納されている。）にデータ送受信部１５を介して送信したり、作成したセンサチェック画面をパソコン３０にデータ送受信部１５を介して送信したりする。
（５）ＬＡＮ端子２４に接続されたネットワークカメラからイベント発生時（訪問者があった時など）に入力される画像データを取り込んで保存する。
【００１５】
タイマー設定部１４は、制御部１３の制御の下、メモリ１６に格納されているタイマー設定画面データを読み出して、読み出したタイマー設定画面データをパソコン３０にデータ送受信部１５を介して送信する。
【００１６】
ここで、タイマー設定画面データによって表わされるタイマー設定画面は、図２に一例を示すように、制御対象機器、動作曜日、動作回数、開始時刻、開始ランダム時間、終了時刻、終了ランダム時間および動作（オンまたはオフ）の各項目についてユーザに入力または選択させる画面となっている。また、タイマー設定画面の図示の右下には、現在のタイマー動作の設定状況を示す表が表示される。
【００１７】
また、タイマー設定部１４は、パソコン３０からデータ送受信部１５を介して入力されるタイマー動作設定データに基づいてオン／オフ制御テーブルを更新して、更新したオン／オフ制御テーブルをメモリ１６に格納する。
【００１８】
このとき、タイマー設定部１４は、タイマー動作設定データとして開始ランダム時間および終了ランダム時間が設定されている場合には、以下に示すようなランダム時間設定規則に従って制御対象機器の動作開始時刻および動作終了時刻を決定する。
（１）タイマー動作設定データとして設定されている開始時刻および終了時刻を開始ランダム時間および終了ランダム時間の範囲内で乱数により変更することにより、制御対象機器の動作開始時刻および動作終了時刻を決定する。
（２）ただし、このようにして決定した動作開始時刻および動作終了時刻が前日の動作開始時刻および動作終了時刻と比較して所定時間（たとえば、３０分）未満しか違わない場合には、所定時間（たとえば、３０分）以上違ってくるように開始ランダム時間および終了ランダム時間の範囲内で乱数により制御対象機器の動作開始時刻および動作終了時刻をそれぞれ決定し直す。
【００１９】
データ送受信部１５は、住宅内情報監視・制御装置１とパソコン３０やネットワークカメラなどとの間のネットワークを介したデータなどの送受信を行う。
【００２０】
次に、本実施例による住宅内情報監視・制御装置１の動作（本発明の一実施例による住宅内情報監視・制御方法）について、説明の簡単のため、リレー端子２２に接続されたリビング照明装置を月曜日の２１時から２２時までランダム設定指示ありで１回だけオンさせる場合を例として、図面を参照して説明する。
【００２１】
まず、タイマー動作の設定を行うときの住宅内情報監視・制御装置１のタイマー設定動作について、図３に示すフローチャートを参照して説明する。
タイマー動作の設定を行う場合には、ユーザはタイマー動作設定要求信号をパソコン３０からネットワークを介して住宅内情報監視・制御装置１に送信する。
住宅内情報監視・制御装置１の制御部１３は、データ送受信部１５を介してタイマー動作設定要求信号を受信すると、タイマー設定画面データをパソコン３０に送信するように指示するタイマー設定画面送信指示信号をタイマー設定部１４に出力する。
タイマー設定部１４は、制御部１３から入力されるタイマー設定画面送信指示信号に応じて、メモリ１６に格納されているタイマー設定画面データを読み出して、読み出したタイマー設定画面データをパソコン３０にデータ送受信部１５を介して送信する。
これにより、タイマー設定画面（図２参照）がパソコン３０に表示される（以上、ステップＳ１１）。
【００２２】
ユーザは、パソコン３０に表示されたタイマー設定画面を参照して、制御対象機器、動作曜日、動作回数、開始時刻、開始ランダム時間、終了時刻、終了ランダム時間および動作（オンまたはオフ）の各項目について入力または選択することにより、タイマー動作設定データを入力する（ステップＳ１２）。
なお、開始ランダム時間および終了ランダム時間を設定しない場合には、ユーザは、開始ランダム時間および終了ランダム時間として「０時間」をそれぞれ入力する。また、動作「オフ」は、常時オンしている制御対象機器を一定時間だけオフする場合に選択されるものである。
【００２３】
この例の場合には、ユーザは、図２に示すように、制御対象機器として「リビング照明装置」を入力し、動作曜日として「月曜日」を選択し、選択した曜日における動作回数として「１回のみ動作」を選択し、開始時刻として「２１時００分」を入力し、開始ランダム時間として「１時間」を入力し、終了時刻として「２２時００分」を入力し、終了ランダム時間として「１時間」を入力し、動作として「オン」を選択する。
このとき、ユーザは、各項目について、キーボードやマウスを用いて直接に入力および選択してもよいし、プルダウンメニューにより入力および選択してもよい。
【００２４】
その後、ユーザがタイマー設定画面の図２図示左下の「設定」ボタンをクリックすると、ユーザによって入力されたタイマー動作設定データがパソコン３０からネットワークを介して住宅内情報監視・制御装置１に送信される（ステップＳ１３）。
【００２５】
住宅内情報監視・制御装置１のタイマー設定部１４は、データ送受信部１５を介してタイマー動作設定データを受信すると、受信したタイマー動作設定データに基づいて制御対象機器の動作開始時刻および動作終了時刻を決定するが、開始ランダム時間および終了ランダム時間が設定されている場合には、上述したランダム時間設定規則に従って制御対象機器の動作開始時刻および動作終了時刻を決定する（ステップＳ１４）。
【００２６】
この例の場合には、開始時刻として「２１時００分」が設定され、終了字時刻として「２２時００分」が設定され、開始ランダム時間として「１時間」が設定され、かつ、終了ランダム時間として「１時間」が設定されているため、タイマー設定部１４は、たとえば、リビング照明装置の動作開始時刻として「２１時３９分」と決定し、動作終了時刻として「２２時１１分」と決定する。
【００２７】
その後、タイマー設定部１４は、メモリ１６からオン／オフ制御テーブルを読み出して、タイマー動作設定データによって示される制御対象機器、動作、動作回数および動作曜日と決定した動作開始時刻および動作終了時刻とを書き込むことによりオン／オフ制御テーブルを更新したのち、更新したオン／オフ制御テーブルをメモリ１６に格納する（ステップＳ１５）。
【００２８】
この例の場合には、制御対象機器として「リビング照明装置」が設定され、動作曜日として「月曜日」が設定され、動作回数として「１回のみ動作」が設定され、かつ、動作として「オン」が設定されているため、タイマー設定部１４は、制御対象機器「リビング照明装置」、動作「オン」、動作回数「１回のみ動作」、動作曜日「月曜日」、動作開始時刻「２１時３９分」および動作終了時刻「２２時１１分」を書き込むことにより、オン／オフ制御テーブルを更新する。
【００２９】
次に、住宅内情報監視・制御装置１の制御動作について、図４に示すフローチャートを参照して説明する。
住宅内情報監視・制御装置１の制御部１３は、メモリ１６に格納されているオン／オフ制御テーブルを参照して、動作開始時刻および動作終了時刻が設定されている制御対象機器（負荷機器およびＨＡ端子付機器）があるか否かを調べ（ステップＳ２１）、動作開始時刻および動作終了時刻が設定されている制御対象機器がある場合には、リアルタイムクロック（内部時計）で現在の曜日および時刻を監視する（ステップＳ２２）。
【００３０】
この例の場合には、リビング照明装置について動作曜日「月曜日」、動作開始時刻「２１時３９分」および動作終了時刻「２２時１１分」が設定されているため、制御部１３は、リアルタイムクロックで現在の曜日および時刻を監視する。
【００３１】
制御部１３は、設定された動作曜日の動作開始時刻になると、制御対象機器である負荷機器またはＨＡ端子付機器をオンさせる負荷機器オン／オフ制御信号またはＨＡ端子付機器オン／オフ制御信号を生成して、生成した負荷機器オン／オフ制御信号またはＨＡ端子付機器オン／オフ制御信号を負荷機器またはＨＡ端子付機器に信号出力部１２を介して出力する（ステップＳ２３）。
【００３２】
この例の場合には、制御部１３は、月曜日の２１時３９分になると、リビング照明装置をオンさせる負荷機器オン／オフ制御信号を生成して、生成した負荷機器オン／オフ制御信号をリビング照明装置に信号出力部１２を介して出力する。これにより、リビング照明装置がオンされる。
【００３３】
その後、制御部１３は、リアルタイムクロックで現在の曜日および時刻を監視し続け（ステップＳ２２）、設定された動作曜日の動作終了時刻になると、制御対象機器である負荷機器またはＨＡ端子付機器をオフさせる負荷機器オン／オフ制御信号またはＨＡ端子付機器オン／オフ制御信号を生成して、生成した負荷機器オン／オフ制御信号およびＨＡ端子付機器オン／オフ制御信号を負荷機器またはＨＡ端子付機器に信号出力部１２を介して出力する（ステップＳ２３）。
【００３４】
この例の場合には、制御部１３は、月曜日の２２時１１分になると、リビング照明装置をオフさせる負荷機器オン／オフ制御信号を生成して、生成した負荷機器オン／オフ制御信号をリビング照明装置に信号出力部１２を介して出力する。これにより、リビング照明装置がオフされる。
【００３５】
その後、制御部１３は、メモリ１６に格納されているオン／オフ制御テーブルを参照して、オン／オフ制御した制御対象機器（負荷機器およびＨＡ端子付機器）について設定されている動作回数が終了したか否かを調べる（ステップＳ２４）。
【００３６】
オン／オフ制御した制御対象機器の動作回数として「毎週動作」が設定されている場合には、制御部１３は、ステップＳ２２に戻って、曜日および時刻を監視し続ける。
一方、オン／オフ制御した制御対象機器の動作回数として「１回のみ動作」が設定されている場合には、制御部１３は、オン／オフ制御テーブルをメモリ１６から読み出して、オン／オフ制御した制御対象機器に関する動作、動作回数、動作曜日、動作開始時刻および動作終了時刻を削除することによりオン／オフ制御テーブルを更新したのち、更新したオン／オフ制御テーブルをメモリ１６に格納する（ステップＳ２５）。
【００３７】
この例の場合には、リビング照明装置の動作回数として「１回のみ動作」が設定されているため、制御部１３は、負荷機器オン／オフ制御テーブルをメモリ１６から読み出して、オン／オフ制御したリビング照明装置に関する動作「オン」、動作回数（１回のみ動作）、動作曜日（月曜日）、動作開始時刻（２１時３９分）および動作終了時刻（２２時１１分）を削除することによりオン／オフ制御テーブルを更新する。
【００３８】
その後、制御部１３は、動作開始時刻および動作終了時刻が設定されている制御対象機器すべてについてのオン／オフ制御が終了するまでステップＳ２２〜Ｓ２５までの動作を繰り返す（ステップＳ２６）。
【００３９】
以上の説明においては、タイマー設定部１４は、開始ランダム時間および終了ランダム時間が設定されている場合には、乱数により動作開始時刻および動作終了時刻を決定したが、乱数以外の方法により動作開始時刻および動作終了時刻を決定してもよい。
また、ユーザに開始ランダム時間および終了ランダム時間を設定させたが、ユーザには開始ランダム時間および終了ランダム時間の設定をするか否かだけを入力させて、「開始ランダム時間および終了ランダム時間の設定をする」旨を表わすランダム設定指示データがパソコン３０から送信されてきた場合に、タイマー設定部１４が所定の時間の範囲内で開始時刻および終了時刻を乱数などにより変更して動作開始時刻および動作終了時刻を決定してもよい。
【産業上の利用可能性】
【００４０】
以上説明したように、本発明の住宅内情報監視・制御装置および住宅内情報監視・制御方法は、たとえば、インターネットなどのネットワークに接続可能なパーソナルコンピュータを用いて制御対象機器をタイマー設定により自動的にオン／オフ制御するのに利用することができる。
【図面の簡単な説明】
【００４１】
【図１】本発明の一実施例による住宅内情報監視・制御装置の構成を示す図である。
【図２】タイマー設定画面の一例を示す図である。
【図３】タイマー動作の設定を行うときの住宅内情報監視・制御装置１の動作を説明するためのフローチャートである。
【図４】図１に示した住宅内情報監視・制御装置１の制御動作を説明するためのフローチャートである。
【符号の説明】
【００４２】
１  住宅内情報監視・制御装置
１１  信号入力部
１２  信号出力部
１３  制御部
１４  タイマー設定部
１５  データ送受信部
１６  メモリ
２１  センサ信号入力端子
２２  リレー端子
２３  ＨＡ信号出力端子
２４  接点信号出力端子
２５  ＬＡＮ端子
Ｓ１１〜Ｓ１５，Ｓ２１〜Ｓ２６  ステップ
【図１】
0004484222.tif 000002
【図２】
0004484222.tif 000003
【図３】
0004484222.tif 000004
【図４】
0004484222.tif 000005